(57)【特許請求の範囲】
【請求項１】
天井または壁に埋め込まれて設置されるドーム型監視カメラにおいて、
制御回路部とレンズユニットを有し映像を撮影する監視カメラ本体と、
前記レンズユニットを覆うように取り外し可能に取り付けられたクリアドームと、
前記制御回路部と電気的に接続され、前記レンズユニットと連動して水平動作し、前記レンズユニットの側方に位置するとともに、記憶媒体の着脱口が前記クリアドームの方向に向けられた記憶媒体着脱機構と
を備えたドーム型監視カメラ。
【請求項２】
前記レンズユニットと前記クリアドームの間に、前記レンズユニットを覆うように取り付けられ開口部を有する意匠カバーを備え、
前記記憶媒体着脱機構は、前記記憶媒体の着脱口が前記意匠カバーの開口部に対向した位置に設けられた請求項１記載のドーム型監視カメラ。
【請求項３】
前記レンズユニットと前記クリアドームの間に、前記レンズユニットを覆うように取り付けられ内側に凸部を有する意匠カバーを備え、
前記記憶媒体着脱機構は、前記記憶媒体の着脱口が前記意匠カバーの方向に向けられ、
前記意匠カバーの凸部は、該意匠カバーを取り付けた際に前記記憶媒体の着脱口に対向する位置にあることを特徴とする請求項１記載のドーム型監視カメラ。
【請求項４】
前記意匠カバーは、前記凸部を有する一部が開閉可能に構成されたことを特徴とする請求項３記載のドーム型監視カメラ。
【請求項５】
天井または壁に埋め込まれて設置されるドーム型監視カメラにおいて、
制御回路部とレンズユニットを有し映像を撮影する監視カメラ本体と、
前記レンズユニットを覆うように取り付けられ内側に凸部を有する意匠カバーと、
前記意匠カバーを覆うように取り外し可能に取り付けられたクリアドームと、
前記制御回路部と電気的に接続され、記憶媒体の着脱口が前記意匠カバーの方向に向けられた記憶媒体着脱機構とを備え、
前記意匠カバーの凸部は、該意匠カバーを取り付けた際に前記記憶媒体の着脱口に対向する位置にあることを特徴とするドーム型監視カメラ。
【請求項６】
前記意匠カバーは、前記凸部を有する一部が開閉可能に構成されたことを特徴とする請求項５記載のドーム型監視カメラ。
【請求項７】
天井または壁に埋め込まれて設置されるドーム型監視カメラにおいて、
制御回路部とメモリとレンズユニットを有し映像を撮影する監視カメラ本体と、
前記レンズユニットを覆うように取り外し可能に取り付けられたクリアドームと、
前記制御回路部と電気的に接続され、前記レンズユニットと連動して水平動作し、前記レンズユニットの側方に位置するとともに、アクセス口が前記クリアドームの方向に向けられた機能拡張インターフェースとを備えたドーム型監視カメラ。
【請求項８】
前記レンズユニットと前記クリアドームの間に、前記レンズユニットを覆うように取り付けられ開口部を有する意匠カバーを備え、
前記機能拡張インターフェースは、前記アクセス口が前記意匠カバーの開口部に対向した位置に設けられた請求項７記載のドーム型監視カメラ。
【発明の詳細な説明】
【技術分野】
【０００１】
本発明は、ドーム型監視カメラに関するものであり、特に記憶媒体の着脱に関するものである。
【背景技術】
【０００２】
従来の監視システムは、監視カメラ、レコーダ、信号や電力を伝達させるケーブル等で構成され、監視カメラの映像は、ケーブルを介してレコーダに記録される。そのため、監視カメラに記憶媒体を取り付け、記憶媒体に直接映像を記録することはなかった。しかし、この構成では、レコーダに不具合が発生した場合、監視カメラが正常に動作していても監視カメラの映像をレコーダに記録することができなくなるという問題がある。そこで、監視カメラに記憶媒体を取り付け、監視カメラの映像を記憶媒体に直接記録する方式が近年多くなっている。
【０００３】
監視カメラの中でも、天井埋め込み設置式のドーム型監視カメラは、監視カメラ本体、ドーム型監視カメラの内部が見えないようにするための黒色系の意匠カバー、ドーム型監視カメラの内部にタバコの煙やごみ等が混入しないようにするための透明もしくはスモークタイプのクリアドームで構成されており、ドーム型監視カメラを天井に取り付けるための金属製の埋め込み金具、埋め込み金具を隠すための意匠パネルを用いて設置される。天井にドーム型監視カメラを設置した後は、外部に出ている部位が少なくなるため、ドーム型監視カメラにおいては、設置後に外部から直接記憶媒体を着脱することは困難であった。
そのため、外部からは直接アクセスできないような、ドーム型監視カメラの天井に埋め込まれている部分に記憶媒体着脱機構を設け、記憶媒体を着脱する構造としているが、この構造では、記憶媒体を着脱する際には、ドーム型監視カメラを埋め込み金具から取り外す必要があった。
【０００４】
特許文献１には、ドーム型監視カメラにおいて、意匠パネルに照明装置のインターフェースを作成し、外部からこのインターフェースにアクセスすることができる旨記載されている。そして、特許文献１に記載は無いが、記憶媒体の着脱に関しても、意匠パネルにインターフェースを作成し、外部からこのインターフェースにアクセスする方法が考えられる。
【先行技術文献】
【特許文献】
【０００５】
【特許文献１】特開２００５−３４７９１４
【発明の概要】
【発明が解決しようとする課題】
【０００６】
しかしながら、上記のように、意匠パネルに設けた照明装置を記憶媒体の着脱機構に変えた場合、監視カメラ本体と記憶媒体間のインターフェースにケーブルや基板が必要になるため、部品点数が増加するという問題がある。また、記憶媒体着脱時の高所での作業を想定した場合、ケーブルの引き回し等の作業が発生するため、作業が困難になるという問題がある。
【０００７】
この発明は、上記のような課題を解決するためになされたもので、ドーム型監視カメラを取り外すことなく、また、ケーブルの引き回し等の作業をすることなく記憶媒体を着脱できる記憶媒体着脱機構を得ることを目的とする。
【課題を解決するための手段】
【０００８】
この発明に係るドーム型監視カメラは、制御回路部とレンズユニットを有し映像を撮影する監視カメラ本体と、レンズユニットを覆うように取り外し可能に取り付けられたクリアドームと、制御回路部と電気的に接続され、レンズユニットと連動して水平動作し、レンズユニットの側方に位置するとともに、記憶媒体の着脱口がクリアドームの方向に向けられた記憶媒体着脱機構とを備えるものである。
【発明の効果】
【０００９】
この発明によれば、クリアドームを取り外し可能とし、記憶媒体の着脱口がクリアドームの方向に向くようにしたので、ドーム型監視カメラを取り外すことなく、また、ケーブルの引き回し等の作業をすることなく記憶媒体を着脱できる。
【図面の簡単な説明】
【００１０】
【図１】この発明の実施の形態１に係るドーム型監視カメラの構成を示す図である。
【図２】この発明の実施の形態１に係るドーム型監視カメラを天井に設置する際の手順を示す図である。
【図３】この発明の実施の形態１に係るドーム型監視カメラを天井に設置した時の図である
【図４】この発明の実施の形態１に係るドーム型監視カメラを天井に設置した後に記憶媒体を着脱する手順を示す図である。
【図５】この発明の実施の形態２に係るドーム型監視カメラを天井に設置した後に記憶媒体を着脱する手順を示す図である。
【図６】この発明の実施の形態２に係る意匠カバーに設けたスリット部を示す図である。
【図７】この発明の実施の形態３に係るドーム型監視カメラを天井に設置した時の図である。
【図８】この発明の実施の形態３に係る意匠カバーに設けたヒンジ構造を示す図である。
【図９】この発明の実施の形態３に係る意匠カバーの一部が開いた時の正面図である。
【図１０】機能拡張インターフェースを設けたドーム型監視カメラの構成を示す図である。
【発明を実施するための形態】
【００１１】
実施の形態１．
以下、本発明の実施の形態１を図１から図４に基づいて説明する。
図１は、本発明におけるドーム型監視カメラ１の構成を示す図である。図１に示すように、ドーム型監視カメラ１は、監視カメラ本体２、後述するレンズユニット２１を覆うように設けられドーム型監視カメラ１の内部を見えないようにするための黒色系の意匠カバー３、意匠カバー３を覆うように設けられドーム型監視カメラ１の内部にタバコの煙やごみ等が混入しないようにするための透明もしくはスモークタイプのクリアドーム４、ドーム型監視カメラ１の映像を記憶するための記憶媒体５、後述する制御回路部２４と電気的に接続されて記憶媒体５用の着脱口が意匠カバー３の方向に向けられた記憶媒体着脱機構６、監視カメラ本体２を覆い後述するレンズユニット２１側の面が開口された筐体７より構成されている。
【００１２】
さらに監視カメラ本体２は、後述する制御回路部２４と電気的に接続されて所定の撮像領域を撮像するレンズユニット２１、レンズユニット２１を水平・垂直に駆動させるための駆動源であるステッピングモータ２２ａ及び２２ｂ、ステッピングモータ２２ａ及び２２ｂの動力を用いてレンズユニット２１を水平・垂直に動作させるためのギア部２３ａ及び２３ｂ、レンズユニット２１が撮像した撮像データ及びレンズユニット２１の水平動作・垂直動作を制御する制御回路部２４、電力及び信号を外部とやりとりする接続端子２５、意匠カバーの保持部材２６ａ及び２６ｂより構成されている。
【００１３】
このように構成されたドーム型監視カメラ１において、撮像データが記憶媒体５に記憶されるまでの動作について説明する。撮像時、レンズユニット２１におけるレンズのズーム・フォーカスの設定や、レンズユニット２１の水平動作・垂直動作は、制御回路部２４に記憶されている制御情報もしくは接続端子２５を介して外部（例えばコントローラ）から入力される制御情報に従って行われる。レンズユニット２１が撮像した撮像データは、制御回路部２４へ送られ、制御回路部２４内のメモリに一時的に記憶される。このメモリと記憶媒体着脱機構６とは互いに電気的に接続されており、メモリ内の撮像データは、記憶媒体着脱機構６に装着された記憶媒体５へと書き込みが行われる。
【００１４】
図２は、ドーム型監視カメラ１を天井８に設置する際の手順を示すための図である。ドーム型監視カメラ１を天井８に設置する際は、図２に示すように、ドーム型監視カメラ１を天井８に取り付けるための金属製の埋め込み金具９、埋め込み金具９を隠すための意匠パネル１０を用いて天井８に設置する。ドーム型監視カメラ１を天井８に取り付ける手順としては、天井８に埋め込み金具９用の穴を開けた後、ドーム型監視カメラ１を埋め込み金具９に取り付け、天井８にドーム型監視カメラ１を取り付けた埋め込み金具９を取り付け、意匠パネル１０を取り付けることで天井８にドーム型監視カメラ１を設置する。図３は、ドーム型監視カメラ１を天井８に設置した時の図である。
【００１５】
図４は、ドーム型監視カメラ１を天井８に設置した後に記憶媒体５を着脱する手順を示すための図である。意匠カバー３は、保持部材２６ａ及び２６ｂにねじで締結することで監視カメラ本体２に取り付ける構造とし、また、クリアドーム４は、クリアドーム４と筐体７にネジ状の形状を設け筐体７にねじ込むことで筐体７に取り付ける構造としており、ドーム型監視カメラ１を天井８に設置した後に意匠カバー３及びクリアドーム４が取り外せる構造となっている。
【００１６】
記憶媒体５を着脱する手順としては、まず、筐体７からクリアドーム４を取り外し、さらに監視カメラ本体２から意匠カバー３を取り外す。その後、記憶媒体着脱機構６の、意匠カバー３の方向に向けられた着脱口から記憶媒体５の着脱を行う。したがって、ドーム型監視カメラ１を埋め込み金具９から外すことなく意匠カバー３及びクリアドーム４を取り外すだけで記憶媒体着脱機構６から記憶媒体５の着脱が可能となる。
【００１７】
以上のように、この実施の形態１によれば、意匠カバー３及びクリアドーム４を取り外し可能とし、記憶媒体着脱機構６は、記憶媒体５用の着脱口が意匠カバー３の方向に向くようにしたので、ドーム型監視カメラ１を取り外さなくとも、意匠カバー３及びクリアドーム４を取り外すだけで記憶媒体５の着脱が可能となる。
また、従来技術を適用した場合とは異なり、監視カメラ本体と記憶媒体間のインターフェースにケーブルや基板を必要としないため、部品点数が増加することはない。さらに、ケーブルの引き回し等もなく、高所でも作業が容易である。
【００１８】
なお、上記したドーム型監視カメラ１は、天井に埋め込み設置するものとしたが、壁に埋め込んで設置してもよい。
【００１９】
また、上記した記憶媒体着脱機構６は、レンズユニット２１に接して設ける構造を想定したが、制御回路部２４内のメモリと電気的に接続されるのであれば、ドーム型監視カメラ１のどの位置に設けてもよい。
【００２０】
また、上記した記憶媒体５の着脱は、ドーム型監視カメラ１に対し、垂直に差し込む構造を想定したが、横または斜めに差し込む構造であってもよい。
【００２１】
また、上記した意匠カバー３は、保持部材２６ａ及び２６ｂにねじで締結することで監視カメラ本体２に取り付ける構造としたが、ドーム型監視カメラ１の内部を見えないようにする位置に取り付けられるのであれば、取り付ける先の部材は問わない。また、取り外しが可能であれば、ねじ締結以外の方法で取り付けてもよい。
同様に、クリアドーム４は、筐体７にねじ込むことで筐体７に取り付ける構造としたが、取り外しが可能であれば、ねじ込み以外の方法で取り付けてもよい。
また、意匠カバー３を省略してドーム型監視カメラ１を構成してもよい。
【００２２】
実施の形態２．
以下、本発明の実施の形態２を図５、図６に基づいて説明する。図５は、実施の形態２においてドーム型監視カメラ１を天井８に設置した後に記憶媒体５を着脱する手順を示すための図である。図６は、意匠カバー３に設けたスリット部１１を示すものであり、クリアドーム４を取り外したドーム型監視カメラ１を意匠カバー３側から見た平面図である。実施の形態１では、図４に示すように、ドーム型監視カメラ１を天井８に設置した後、ドーム型監視カメラ１を埋め込み金具９から取り外すことなく、意匠カバー３及びクリアドーム４を取り外すだけで記憶媒体着脱機構６から記憶媒体５を着脱する構造としていたが、図５、図６に示すように、意匠カバー３に、記憶媒体５に合わせた形状のスリット部１１を設けてもよい。この場合、記憶媒体着脱機構６の着脱口は、スリット部１１に対向した位置に設けられる。なお、スリット部１１は、記憶媒体の大きさ等を考慮し、開口の幅及び長さを適宜決定すればよく、スリット形状ではない開口部としてもよい。
【００２３】
意匠カバー３にスリット部１１を設けることで、意匠カバー３を監視カメラ本体２から取り外すことなく、クリアドーム４を取り外すだけで意匠カバー３のスリット部１１を介して記憶媒体着脱機構６から記憶媒体５を取り出すことができる。意匠カバー３を監視カメラ本体２から取り外す必要がなくなるため、実施の形態１と比較すると、記憶媒体着脱機構６から記憶媒体５の着脱がさらに容易になるという効果がある。
【００２４】
実施の形態３．
以下、本発明の実施の形態３を図７から図９に基づいて説明する。図７は、実施の形態３におけるドーム型監視カメラ１を天井８に設置した時の図である。図８は、意匠カバー３に設けたヒンジ構造１２を示すものであり、クリアドーム４を取り外したドーム型監視カメラ１を意匠カバー３側から見た平面図である。図９は、意匠カバー３に設けたヒンジ構造１２により意匠カバー３の一部が開いた時の状態を示す正面図である。実施の形態２では、意匠カバー３にスリット部１１を設け、ドーム型監視カメラ１を埋め込み金具９から取り外すことなく、クリアドーム４を取り外すだけで意匠カバー３のスリット部１１を介して記憶媒体着脱機構６から記憶媒体５を着脱する構造としていたが、図７〜図９に示すように、意匠カバー部３にヒンジ構造１２、スナップ形状部１３、スナップ形状部１３と嵌まり合うスナップ形状嵌合部１４を設けても実施の形態２と同様にドーム型監視カメラ１を埋め込み金具９から取り外すことなく、クリアドーム４を取り外すだけで記憶媒体５を着脱することができる。この場合、意匠カバー３は、ヒンジ構造部１２が回転して開閉する構造となっており、スナップ形状１３とスナップ形状嵌合部１４が嵌合することで意匠カバー３が閉められる。
【００２５】
また、実施の形態２では、ドーム型監視カメラ１に衝撃が加わった場合、記憶媒体５が記憶媒体着脱機構６から外れる可能性があるが、実施の形態３においては、意匠カバー３に凸部１５を設け、記憶媒体５が記憶媒体着脱機構６から外れないように支える構造とすることで、ドーム型監視カメラ１に衝撃が加わった場合においても、記憶媒体５が記憶媒体着脱機構６から外れないようにすることができる。
【００２６】
なお、実施の形態３における意匠カバー３は、ヒンジとスナップを有することで回転しての開閉が可能となる構造にしたが、カバーを開閉可能にする構造であれば、これら以外の構造を採用してもよい。
【００２７】
また、本発明においては、記憶媒体の着脱機構に限定して記載しているが、機能拡張するためのインターフェースを事前に監視カメラ本体に組み込んでおくことにより、追加で機能拡張をしたい場合でも、容易に取り付けることができる。具体的には、図１０に示すように機能拡張インターフェース１６を設け、機能拡張インターフェース１６のアクセス口がドームの方向に向くようにする。意匠カバー３にスリット部１１を設けた場合は、アクセス口をスリット部に対向した位置に設けるようにする。
機能拡張インターフェース１６は、制御回路部２４と電気的に接続されており、図１から図９における記憶媒体５と同様の働きをする監視カメラ本体内のメモリに記憶された撮像データにアクセスできる。
なお、機能拡張インターフェース１６に関して、制御回路部２４と電気的に接続されるのであれば、ドーム型監視カメラ１のどの位置に設けてもよく、また、アクセス口へのアクセス方向は、ドーム型監視カメラ１に対して垂直、横、斜めのどの方向でもよいことは、記憶媒体着脱機構６と同様である。
【００２８】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００２９】
１  ドーム型監視カメラ、２  監視カメラ本体、３  意匠カバー、４  クリアドーム、５  記憶媒体、６  記憶媒体着脱機構、７  筐体、８  天井、９  埋め込み金具、１０  意匠パネル、１１  スリット部、１２  ヒンジ構造部、１３  スナップ形状部、１４  スナップ形状嵌合部、１５  凸部、１６  機能拡張インターフェース、２１  レンズユニット、２２ａ，２２ｂ  ステッピングモータ、２３ａ，２３ｂ  ギア部、２４  制御回路部、２５  接続端子、２６ａ，２６ｂ  保持部材。
【図１】
0005615341.tif 000002
【図２】
0005615341.tif 000003
【図３】
0005615341.tif 000004
【図４】
0005615341.tif 000005
【図５】
0005615341.tif 000006
【図６】
0005615341.tif 000007
【図７】
0005615341.tif 000008
【図８】
0005615341.tif 000009
【図９】
0005615341.tif 000010
【図１０】
0005615341.tif 000011